(57)【要約】【課題】  部品点数が少なくて構造が簡単であってコストダウンを図れ、基板等に実装されたケーブルが曲げ伸ばしされるときに、端子に負担がかかることを防ぐことができるケーブルの構造を提供する。【解決手段】  ＦＦＣケーブル、ＦＰＣケーブル、平行ワイヤー等のケーブル１を基板やコネクタ等に取付けるようにし、ケーブル１の端部近傍部分の被覆部２を剥ぎ取り、ケーブル１の端縁の端子４から所望寸法部分をそれぞれ一本ずつに分かれた紐状のリード線５に形成し、この紐状のリード線５部分を折曲可能とした。【選択図】  図１
2007227052.tif 000002
【特許請求の範囲】
【請求項１】
ＦＦＣケーブル、ＦＰＣケーブル、平行ワイヤー等のケーブルを基板やコネクタ等に取付けるようにしたケーブルの構造において、前記ケーブルの端部近傍部分の被覆部を剥ぎ取り、ケーブルの端縁の端子から所望寸法部分をそれぞれ一本ずつに分かれた紐状のリード線に形成し、この紐状のリード線部分を折曲可能としたことを特徴とするケーブルの構造。
【請求項２】
ＦＦＣケーブル、ＦＰＣケーブル、平行ワイヤー等のケーブルを基板やコネクタ等に取付けるようにしたケーブルの構造において、前記ケーブルの端部近傍部分の被覆部に切り込みを設けるか又は前記被覆部を薄肉に形成して、前記ケーブルの端部近傍部分を折り曲げ可能としたことを特徴とするケーブルの構造。
【請求項３】
前記ケーブルの端部近傍部分の被覆部に一本の切り込みを設けた請求項２に記載のケーブルの構造。
【請求項４】
前記ケーブルの端部近傍部分の被覆部に複数の切り込みを設けることにより、前記被覆部の厚みを変えて前記被覆部に複数の凹凸の帯状部を形成した請求項２に記載のケーブルの構造。
【発明の詳細な説明】
【技術分野】
【０００１】
本発明は、ＦＦＣケーブル、ＦＰＣケーブル、平行ワイヤー等のケーブルを基板やコネクタ等に取付けるようにしたケーブルの構造に関するものである。
【背景技術】
【０００２】
従来のこの種のケーブルの構造は、複数のリード線を被覆部で被覆していたために、基板等に端縁の端子が取付けられた状態で、ケーブルが曲げ伸ばしされるときに、端子に負担がかかり切れてしまうことがあるという問題があった。
【０００３】
第１の従来技術を図５（ａ）（ｂ）に示す。この従来のケーブルの取付け構造は、図５（ａ）（ｂ）に示すように、テレビ受信機のキャビネット等の平板材１０１の表面に、一対のレール部１０４、１０４を設け、一対のレール部１０４、１０４に嵌入される回路基板１０２の両サイドに形成された略コ字形の切欠部１０５、１０５に、ＦＦＣケーブル、ＦＰＣケーブル、平行ワイヤー等のケーブル１０３を懸架した状態で嵌入し、回路基板１０２を一対のレール部１０４、１０４に嵌入して、ケーブル１０３を回路基板１０２と平板材１０１の表面との間に配設し、更に回路基板１０２の両サイドの略コ字形の切欠部１０５、１０５から外部に露出させて回路基板１０２にケーブル１０３を取付けるようにした。（例えば、特許文献１参照）。
【０００４】
ところが、これにおいては、曲げにくいケーブル１０３を回路基板１０２の切欠部１０５、１０５に入れなくてはならないために、この作業が面倒であった。また、回路基板１０２に切欠部１０５、１０５を形成しなくてはならず、回路基板１０２のスペースが小さくなるという問題があった。
【０００５】
第２の従来技術を図６（ａ）（ｂ）に示す。この従来のリード線は、平型ケーブル２０１の端部の一面に導体露出部２０１ｄを設け、導体露出部２０１ｄの裏面に補強板２０２を一部分のみ接着し、この接着部分の端部位置でケーブルを折曲げ、補強板２０２の非接着部分２０２ａがケーブルの折曲げ部より突出した部分を設け、この突出部２０２ｂを押してコネクタへケーブルを挿入し接続する。（例えば、特許文献２参照）。
【０００６】
ところが、これにおいては、平型ケーブルを折り曲げ易くするものではなかった。
【０００７】
第３の従来技術を図７に示す。この従来のリード線の固定構造は、図７に示すように、メイン基板３０１に接続されたリード線３０２の近傍箇所に、中央部分が開設され、この開設部３０３の上下略中央部に左右から内側に向けて支持片３０４、３０４が突出形成された基板３０５の開設部３０３に支持片３０４、３０４を巻き込むようにリード線３０２を略Ｓ字形に通し、この基板３０５でリード線３０２を立設状態に保持して固定した構造とした。（例えば、特許文献３参照）。
【０００８】
ところが、これにおいては、基板３０５を必要とするために、部品点数が多くなり、構造が複雑であって、コスト高になるという問題があった。
【０００９】
第４の従来技術を図８、図９に示す。この従来の電線固定具は、図８、図９に示すように、折り曲げ可能な可撓部４１０と、可撓部４１０の両側に設けられるものであつて電線を挟持するための挟持部４２０、４３０と、可撓部４１０を折り曲げることによつて対向する挟持部４２０、４３０を互いに係止すると共に、この電線固定具を支持物に固定するための係止手段とを具備し、挟持部４２０、４３０が樹脂で成型され、凹部４９０を具備するものである。（例えば、特許文献４参照）
ところが、これにおいては、電線Ｘ、Ｙに切り込み等が設けられていないので、曲げ難いという問題があった。また、これは、端子が切れないように保護するものではなかった。
【特許文献１】実用新案登録第３０４３７６８号公報
【特許文献２】実開平５−３１２８６号公報
【特許文献３】特開平１１−１４５６４４号公報
【特許文献４】特開２００３−２８４２２４号広報
【発明の開示】
【発明が解決しようとする課題】
【００１０】
本発明は、上記従来の問題に鑑みてなされたものであって、部品点数が少なくて構造が簡単であってコストダウンを図れ、基板等に実装されたケーブルが曲げ伸ばしされるときに、端子に負担がかかることを防ぐことができるケーブルの構造を提供することを目的としている。
【課題を解決するための手段】
【００１１】
本発明は、上記課題を解決するために提案されたものであって、請求項１に記載の発明は、ＦＦＣケーブル、ＦＰＣケーブル、平行ワイヤー等のケーブルを基板やコネクタ等に取付けるようにしたケーブルの構造において、前記ケーブルの端部近傍部分の被覆部を剥ぎ取り、ケーブルの端縁の端子から所望寸法部分をそれぞれ一本ずつに分かれた紐状のリード線に形成し、この紐状のリード線部分を折曲可能としたことを特徴としている。
【００１２】
請求項２に記載の発明は、ＦＦＣケーブル、ＦＰＣケーブル、平行ワイヤー等のケーブルを基板やコネクタ等に取付けるようにしたケーブルの構造において、前記ケーブルの端部近傍部分の被覆部に切り込みを設けるか又は前記被覆部を薄肉に形成して、前記ケーブルの端部近傍部分を折り曲げ可能としたことを特徴としている。
【００１３】
請求項３に記載の発明は、請求項２に記載の発明において、前記ケーブルの端部近傍部分の被覆部に一本の切り込みを設けた。
【００１４】
請求項４に記載の発明は、請求項２に記載の発明において、前記ケーブルの端部近傍部分の被覆部に複数の切り込みを設けることにより、前記被覆部の厚みを変えて前記被覆部に複数の凹凸の帯状部を形成した。
【発明の効果】
【００１５】
請求項１に記載の発明によれば、ケーブルの端部近傍部分の被覆部を剥ぎ取り、ケーブルの端縁の端子から所望寸法部分をそれぞれ一本ずつに分かれた紐状のリード線に形成したから、この部分から折り曲げすることができ、端子に負担がかかることを防ぐことができる。また、曲げ伸ばししてもリード線部分に負担がかかって切れてしまうことを防ぐことができる。更に、余分な部品を使うことなく、構造が簡単でコストダウンを図ることができる。
【００１６】
請求項２に記載の発明によれば、ケーブルの端部近傍部分の被覆部に切り込みを設けるか又は被覆部を薄肉に形成しているから、この切り込み又は薄肉部からケーブルを折り曲げることができ、端子に負担がかかることを防ぐことができる。また、曲げ伸ばししてもリード線部分に負担がかかって切れてしまうことを防ぐことができる。更に、余分な部品を使うことなく、構造が簡単でコストダウンを図ることができる。
【００１７】
請求項３に記載の発明によれば、ケーブルの端部近傍箇所の被覆部に一本の切り込みを設けたから、ケーブルをこの切り込み部分で折り曲げることができ、端子に負担がかかることを防ぐことができる。
【００１８】
請求項４に記載の発明によれば、ケーブルの端部近傍部分の被覆部に複数の切り込みを設けることにより、被覆部の厚みを変えて前記被覆部に複数の凹凸の帯状部を形成したから、ケーブルをこの複数の凹凸の帯状部の部分で容易に折り曲げることができ、端子に負担がかかることを防ぐことができる。
【発明を実施するための最良の形態】
【００１９】
以下、本発明に係るケーブルの構造の実施の形態について、図を参照しつつ説明する。
【００２０】
図１は本発明のケーブルの構造の第１実施形態を示す平面図である。
【００２１】
この第１実施形態のケーブルの構造は、平行ワイヤーからなるケーブル１の端部近傍部分の被覆部２を剥ぎ取って開口部３を形成し、ケーブル１の端縁の端子４から所望寸法部分をそれぞれ一本ずつに分かれた紐状のリード線５に形成した。このことによって、この複数の紐状のリード線５部分から折り曲げることができる。
【００２２】
従って、紐状のリード線５部分から折り曲げることができることによって、基板等に取付けられる端子４に負担がかかることを防ぐことができる。また、曲げ伸ばししてもリード線５部分に負担がかかり、切れてしまうことを防ぐことができる。更に、余分な部品を使うことなく、構造が簡単でコストダウンを図ることができる。
【００２３】
図２は第２実施形態のケーブルの構造を示す平面図である。
【００２４】
この第２実施形態のケーブルの構造は、図２に示すように、ケーブル１の被覆部２の端部近傍箇所（図にて斜線で示す箇所）を薄肉に形成している。このことによって、この薄肉部６から容易に折り曲げることができる。従って、薄肉部６からケーブル１を折り曲げることができることによって、基板等に取付けられる端子４に負担がかかることを防ぐことができる。
【００２５】
図３は第３実施形態のケーブルの構造を示す平面図である。
【００２６】
この第３実施形態のケーブルの構造は、図３に示すように、ケーブル１の端部近傍部分の被覆部２に複数の切り込み７を設けることにより、被覆部２の厚みを変えて被覆部２に複数の凹凸の帯状部を形成した。従って、ケーブル１を複数の凹凸の帯状部で折り曲げることができ、基板等に取付けられる端子４に負担がかかることを防ぐことができる。
【００２７】
図４は第４実施形態のケーブルの構造を示す平面図である。
【００２８】
この第４実施形態のケーブルの構造は、図４に示すように、ケーブル１の端部近傍部分に一本の切り込み７を設けている。従って、ケーブル１をこの切り込み７部分で折り曲げることができ、基板等に取付けられる端子４に負担がかかることを防ぐことができる。
【００２９】
尚、上記した実施形態では、ケーブルとして平行ワイヤーについて説明したが、これに限らず、例えば、ＦＦＣケーブル、ＦＰＣケーブル等のケーブルにも適用できることは勿論である。
【図面の簡単な説明】
【００３０】
【図１】本発明のケーブルの構造の第１実施形態を示す平面図である。
【図２】第２実施形態のケーブルの構造を示す平面図である。
【図３】第３実施形態のケーブルの構造を示す平面図である。
【図４】第４実施形態のケーブルの構造を示す平面図である。
【図５】従来のケーブルの取付け構造を示し、（ａ）はその斜視図、（ｂ）はその平面図である。
【図６】従来のリード線を示し、（ａ）はその斜視図、（ｂ）はリード線を機器に組み込んだ状態を示す、断面図である。
【図７】従来のリード線の固定構造を示す正面縦断面図である。
【図８】従来の電線固定具を示す斜視図である。
【図９】図８の電線固定具で電線を固定した状態を示す斜視図である。
【符号の説明】
【００３１】
１        ケーブル
２        被覆部
３        開口部
４        端子
５        リード線
６        薄肉部
７        切り込み
【図１】
2007227052.tif 000003
【図２】
2007227052.tif 000004
【図３】
2007227052.tif 000005
【図４】
2007227052.tif 000006
【図５】
2007227052.tif 000007
【図６】
2007227052.tif 000008
【図７】
2007227052.tif 000009
【図８】
2007227052.tif 000010
【図９】
2007227052.tif 000011